(57)【要約】【課題】滅菌装置の管理者が滅菌の有効性を判断する場合に、滅菌装置で滅菌された被処理物の払い出しに関する利便性を向上させること。【解決手段】状態監視装置１０は、情報収集部１１Ａと、情報送信部１１Ｂとを含んでいる。情報収集部１１Ａは、滅菌装置から、滅菌装置が実行したバッチ処理の処理内容に関する情報を受け取る。情報送信部１１Ｂは、処理内容に関する情報を、滅菌装置が設置されている施設内で用いられており、かつ滅菌装置の管理者が所持している携帯通信端末装置に送信する。さらに、状態監視装置１０は、処理内容に関する情報に基づき、処理槽内から被処理物を取り出してよいか否かを判定する判定部１１Ｃを含んでもよい。【選択図】図３
2014166209.tif 000002
【特許請求の範囲】
【請求項１】
滅菌装置の状態を監視する装置において、
前記滅菌装置から、前記滅菌装置が実行したバッチ処理の処理内容に関する情報を受け取る情報収集部と、
前記処理内容に関する情報を、前記滅菌装置が設置されている施設内で用いられており、かつ前記滅菌装置の管理者が所持している携帯通信端末装置に送信する情報送信部と、
を含むことを特徴とする状態監視装置。
【請求項２】
さらに、前記処理内容に関する情報に基づき、前記滅菌装置の処理槽内から被処理物を取り出してよいか否かを判定する判定部を備え、
前記情報送信部は、前記処理内容に関する情報と、前記判定部が前記処理槽内から前記被処理物を取り出してよいと判定した結果又は前記判定部が前記処理槽内から前記被処理物を取り出せないと判定した結果のいずれか一方とを、前記滅菌装置が設置されている施設内で用いられており、かつ前記滅菌装置の管理者が所持している携帯通信端末装置に送信する、請求項１に記載の状態監視装置。
【請求項３】
前記判定部が、前記処理槽内から前記被処理物を取り出してよいと判定した場合、前記情報送信部は、前記処理槽の扉のインターロックを解除するための信号を前記滅菌装置に送信し、
前記判定部が、前記処理槽内から前記被処理物を取り出せないと判定した場合、前記情報送信部は、前記インターロックを解除するための信号を前記滅菌装置には送信しない、請求項２に記載の状態監視装置。
【発明の詳細な説明】
【技術分野】
【０００１】
本発明は、滅菌装置の状態を監視する状態監視装置に関する。
【背景技術】
【０００２】
特許文献１には、滅菌装置の滅菌作業ごとの滅菌記録を順次蓄積し、蓄積されている滅菌記録のうち選択された滅菌記録を出力する滅菌管理装置が記載されている。
【先行技術文献】
【特許文献】
【０００３】
【特許文献１】特開２０００−１７５９９５号公報
【発明の概要】
【発明が解決しようとする課題】
【０００４】
ところで、滅菌装置で滅菌された被処理物は、万一、滅菌不良があった場合に、被処理物の回収という事態が発生する可能性があるため、滅菌の有効性が確認された後に払い出される。滅菌の有効性は、滅菌装置の管理者が判断する場合がある。しかしながら、滅菌装置による滅菌運転の終了時に、管理者が滅菌管理装置から離れた場所にいると、迅速に滅菌の有効性を判断できない場合がある。このような場合、滅菌された被処理物の払い出しが遅れる可能性がある。さらに、特許文献１の技術は、蓄積されている滅菌記録を選択しないと、滅菌記録が出力されないため、管理者を煩わせる可能性がある。
【０００５】
本発明は、滅菌装置の管理者が滅菌の有効性を判断する場合に、滅菌装置で滅菌された被処理物の払い出しに関する利便性を向上させることを課題とする。
【課題を解決するための手段】
【０００６】
本発明は、滅菌装置の状態を監視する装置において、前記滅菌装置から、前記滅菌装置が実行したバッチ処理の処理内容に関する情報を受け取る情報収集部と、前記処理内容に関する情報を、前記滅菌装置が設置されている施設内で用いられており、かつ前記滅菌装置の管理者が所持している携帯通信端末装置に送信する情報送信部と、を含むことを特徴とする状態監視装置である。
【０００７】
さらに、前記処理内容に関する情報に基づき、前記滅菌装置の処理槽内から被処理物を取り出してよいか否かを判定する判定部を備え、前記情報送信部は、前記処理内容に関する情報と、前記判定部が前記処理槽内から前記被処理物を取り出してよいと判定した結果又は前記判定部が前記処理槽内から前記被処理物を取り出せないと判定した結果のいずれか一方とを、前記滅菌装置が設置されている施設内で用いられており、かつ前記滅菌装置の管理者が所持している携帯通信端末装置に送信することが好ましい。
【０００８】
前記判定部が、前記処理槽内から前記被処理物を取り出してよいと判定した場合、前記情報送信部は、前記処理槽の扉のインターロックを解除するための信号を前記滅菌装置に送信し、前記判定部が、前記処理槽内から前記被処理物を取り出せないと判定した場合、前記情報送信部は、前記インターロックを解除するための信号を前記滅菌装置には送信しないことが好ましい。
【発明の効果】
【０００９】
本発明は、滅菌装置の管理者が滅菌の有効性を判断する場合に、滅菌装置で滅菌された被処理物の払い出しに関する利便性を向上させることができる。
【図面の簡単な説明】
【００１０】
【図１】本実施形態に係る状態監視装置を含む運転管理システムを示す図である。
【図２】運転管理システムの処理手順の例を示すフローチャートである。
【図３】滅菌装置及び状態監視装置の機能を示す模式図である。
【図４】蒸気滅菌が有効となる滅菌温度と保持時間との関係を示す図である。
【図５】携帯通信端末装置に情報を送信するための処理手順の例を示すフローチャートである。
【図６】携帯通信端末装置が表示する画面の例を示す図である。
【発明を実施するための形態】
【００１１】
本発明を実施するための形態（実施形態）につき、図面を参照しつつ詳細に説明する。
【００１２】
図１は、本実施形態に係る状態監視装置を含む運転管理システムを示す図である。図２は、運転管理システムの処理手順の例を示すフローチャートである。図１に示すように、運転管理システム１００は、例えば、病院又は医療機器等の洗浄滅菌施設のような施設内で使用される滅菌装置１で実行したバッチ処理の処理内容に関する情報を、滅菌装置１が設置されている施設内で用いられており、かつ滅菌装置１の管理者が所持している携帯通信端末装置７Ｂに、状態監視装置１０が送信するものである。管理者とは、複数の滅菌装置１ａ〜１ｎを管理する管理者である。管理者は、携帯通信端末装置７Ｂを所持している。滅菌装置１を扱う一人又は複数のオペレータは、携帯通信端末装置７Ａを１台ずつ所持している。本実施形態では、管理者は、滅菌装置１のオペレータに払い出し、すなわち滅菌装置１から被処理物を取り出すことの許可を与える。
【００１３】
運転管理システム１００は、滅菌装置１と、携帯通信端末装置７と、状態監視装置１０と、を含む。運転管理システム１００は、滅菌装置１と、携帯通信端末装置７と、状態監視装置１０とが通信回線３を介して通信できるようになっている。さらに、運転管理システム１００は、滅菌装置１が設けられた処理設備を管理する管理拠点に設けられたコンピュータ６と、通信回線３を介して通信できるようになっている。
【００１４】
本実施形態において、状態監視装置１０には、複数の滅菌装置１ａ、１ｂ、・・・１ｎが接続されており、複数の滅菌装置１ａ、１ｂ、・・・１ｎのバッチ処理の処理内容に関する情報が状態監視装置１０に送信されるようになっている。バッチ処理の処理内容に関する情報とは、滅菌中の温度、圧力等を示す物理的情報に加え、バッチ処理を実行した装置を識別する識別情報、滅菌運転中の保持時間を示す情報等の情報のうちの少なくとも１つを含む情報である。なお、運転管理システム１００に含まれる滅菌装置１は、図１に示すように複数台でもよいし、１台でもよい。また、運転管理システム１００に含まれる携帯通信端末装置７も、複数台でもよいし、単数でもよい。さらに、運転管理システム１００は、状態監視装置１０が少なくとも携帯通信端末装置７に、滅菌装置１のバッチ処理の処理内容に関する情報を送信するものであればよい。以下において、滅菌装置１ａ、１ｂ、・・・１ｎを区別しない場合、適宜、滅菌装置１という。
【００１５】
通信回線３は、電話回線又は施設内に敷設されたＬＡＮ（Local  Area  Network）等である。本実施形態において、状態監視装置１０は、配線によって通信回線３と接続されているが、無線通信装置を介して通信回線３と接続されるようにしてもよい。通信回線３には、コンピュータ６及び携帯通信端末装置７Ａ、７Ｂが接続されている。以下において、携帯通信端末装置７Ａ、７Ｂを区別しない場合、適宜、携帯通信端末装置７という。本実施形態では、携帯通信端末装置７Ａはオペレータに、携帯通信端末装置７Ｂは管理者によってそれぞれ所持されている。
【００１６】
コンピュータ６は、配線によって通信回線３と接続されている。通信回線３には携帯通信端末装置７用の無線通信基地４が接続されている。携帯通信端末装置７は、無線通信基地４を介して通信回線３と接続されるようになっている。携帯通信端末装置７は、例えば、ＰＨＳ（Personal  Handy-phone  System）又はいわゆる携帯電話である。滅菌装置１が使用される施設が病院である場合、携帯通信端末装置７はＰＨＳが使用される。滅菌装置１が使用される施設が病院以外である場合、携帯通信端末装置７はいわゆる携帯電話であってもよい。なお、携帯通信端末装置７は、ＰＨＳ及び携帯電話に限定されるものではない。
【００１７】
滅菌装置１は、処理槽内に被処理物を収納してバッチ処理する滅菌装置である。滅菌装置１が取り扱うバッチ処理は、１つ又は複数の工程で処理を行うものであり、その工程のうち少なくとも１つの工程は物理量の変化に基づいて進行し、かつその工程の処理時間が変化し得る処理である。このようなバッチ処理の工程では、例えば、加熱、加圧、減圧及び冷却のいずれか１つ又はこれらの組合せを含んで処理が行われる。このようなバッチ処理は、物理量の変化に基づいて進行する工程を含むため、運転開始から完了までの時間が変動し、一義的に決定されないものである。
【００１８】
滅菌装置１は、このようなバッチ処理を行うため、例えば、物理量の変化で工程が進行する運転プログラムを有している。例えば、滅菌装置１に組み込まれた制御用のマイクロコンピュータがコンピュータプログラムとしての運転プログラムを実行することにより、前述したバッチ処理を実行してもよい。また、滅菌装置１は、前述した運転プログラムを実現する電子回路によって、前述したバッチ処理を実行してもよい。
【００１９】
滅菌装置１の例としては、例えば、蒸気滅菌装置、ガス滅菌装置又はプラズマ滅菌装置等の滅菌装置、レトルト殺菌装置、ホルマリン消毒装置等の消毒装置、減圧若しくは洗浄槽に水を溜める方式の洗浄装置又は食品用機械に用いられる真空冷却装置若しくは解凍装置等が挙げられる。このような装置は、減圧工程、給蒸工程及び給水工程等を含んでおり、これらの工程を次の工程に進行させるにあたり、物理量の変化、すなわち、圧力又は温度等が設定値になったらステップを進める運転プログラムを有している。また、このような装置は、必ず、給蒸による加圧を含む加熱、空気排除又は冷却のため減圧、貯留槽への給水等の処理を含む。これらの処理は外的要因、すなわち給蒸設備、給水設備又は水温等によって運転時間が変化する。
【００２０】
滅菌装置１は、制御装置１Ｃと、操作パネルとを備える。制御装置１Ｃは、滅菌装置１の動作を制御するための装置であり、例えば、マイクロコンピュータである。操作パネルは、滅菌装置１に命令を入力するための入力装置及び滅菌装置１の状態等を表示するモニタを有している。なお、モニタをタッチパネルとして、入力装置を兼ねるようにしてもよい。状態監視装置１０は、制御装置１Ｃと接続されており、制御装置１Ｃから滅菌装置１の情報を受け取る。
【００２１】
制御装置１Ｃは、例えば、処理内容に関する情報としての装置情報及び運転情報等を示す信号を状態監視装置１０に送信する。装置情報は、滅菌装置１を識別するための装置識別情報、滅菌装置１の運転終了に関する情報、運転開始時間及び運転時間等を含む運転時間に関する情報の少なくとも１つを含む。滅菌装置１の運転終了に関する情報は、滅菌装置１の運転が正常完了したこと、滅菌装置１が異常停止したこと、異常ではあるが運転を継続していること又は異常の内容の情報等のいずれかを含む。運転情報は、バッチ処理の処理内容を示す情報を含む。運転情報は、例えば、バッチ処理中の温度、圧力及び時間等の物理的情報である。
【００２２】
滅菌装置１が蒸気滅菌装置の場合、運転情報は、例えば、滅菌装置１の種別、運転のモード、滅菌工程中の温度、滅菌工程中の圧力、滅菌工程の時間及びＦ値等の情報のうち少なくとも１つを含む。なお、滅菌工程中の温度は、平均温度、最高温度又は最低温度等を含んでもよい。滅菌工程中の圧力は、最高圧力又は最低圧力を含んでもよい。
【００２３】
Ｆ値とは、滅菌工程全体の滅菌効率を基準温度である１２１℃での加熱時間に換算して表した値である。詳細には、制御装置１Ｃは、１２１℃の致死率を１としたときの温度Ｔにおける致死率Ｌを、Ｚ値を用いて算出する（Ｌ＝１０（Ｔ−１２１）／Ｚ）。そして、制御装置１Ｃは、算出した致死率Ｌの積分値をＦ値として求める。なお、Ｚ値は、Ｄ値が９０％低下するのに相当する加熱温度の変化を示す値である。
【００２４】
滅菌装置１がエチレンオキサイドガス（ＥＯＧ）滅菌装置の場合、運転情報は、管理者の判断を補助するための情報を含む。運転情報は、例えば、滅菌装置１の種別、運転のモード、滅菌工程中の温度、滅菌工程中の圧力、ガス暴露時間及びエアレーション時間等の情報のうち少なくとも１つを含む。
【００２５】
本実施形態において、運転情報は、滅菌の有効性を管理者に確認させるための情報であり、滅菌の方法、管理者からの要望等によって構成は変化するものである。例えば、運転情報は、被処理物の種類を識別するための情報、滅菌装置１を識別するための情報等を含んでもよい。
【００２６】
滅菌装置１の制御装置１Ｃは、滅菌装置１の滅菌運転が正常終了した場合に、滅菌が正常に完了したことを示す装置情報と、バッチ処理の処理内容を示す運転情報とを、状態監視装置１０に送信する。また、制御装置１Ｃは、滅菌装置１で異常が発生した場合、滅菌装置１の運転を停止した状態で、異常が発生したことを示す装置情報を、状態監視装置１０に送信する。
【００２７】
本実施形態では、制御装置１Ｃは、装置情報と運転情報とを状態監視装置１０に送信する場合について説明するが、これに限定されない。例えば、制御装置１Ｃは、運転情報を含む装置情報を状態監視装置１０に送信してもよい。あるいは、制御装置１Ｃは、装置情報と運転情報とを別々に送信してもよい。
【００２８】
滅菌装置１は、処理槽に設けられた第１扉及び第２扉（図示せず）と、第１扉及び第２扉の開閉装置を非作動にするインターロック機構とを有する。第１扉は、被処理物を搬入する処理槽の開口部を密閉できる開閉自在の扉である。第２扉は、処理槽内の被処理物を搬出する処理槽の開口部を密閉できる開閉自在の扉である。本実施形態では、第１扉が非洗浄側扉、第２扉が洗浄側扉である。滅菌装置１は、第２扉が閉まった状態で、第１扉を開いて被処理物を処理槽内に収容される。滅菌装置１は、第１扉が閉まると、滅菌運転を開始可能となる。なお、本実施形態では、滅菌装置１が第１扉及び第２扉を含む場合について説明するが、滅菌装置１は１つの扉を含む構成であってもよい。
【００２９】
本実施形態では、制御装置１Ｃは、滅菌運転が正常終了した場合、第２扉が電気的に施錠された状態を維持する。そして、制御装置１Ｃは、状態監視装置１０から第２扉のインターロックを解除するための解除要求を受信した場合に、第２扉のインターロックを解除するようにインターロック機構を制御する。
【００３０】
本実施形態において、滅菌装置１と状態監視装置１０とは別体としているが、状態監視装置１０は、滅菌装置１ａ〜１ｎのいずれか１つに内蔵されていてもよい。
【００３１】
図２を参照して、運転管理システム１００における状態監視装置１０の動作の例について説明する。図１に示す例では、滅菌装置１ａは、バッチ処理を実行して滅菌運転を行っている。滅菌装置１ａは、バッチ処理が正常終了すると、ステップＳ１として、装置情報Ｄ１及び運転情報Ｄ２を状態監視装置１０に送信する。この場合、滅菌装置１ａは、バッチ処理が正常終了していても、第１扉及び第２扉はインターロックされた状態になっている。
【００３２】
状態監視装置１０は、装置情報Ｄ１及び運転情報Ｄ２を受信すると、運転情報Ｄ２が示すバッチ処理の処理内容に基づいて、バッチ処理において物理的条件を満たしたかどうかを判定する。状態監視装置１０は、物理的条件を予め記憶している。物理的条件は、被処理物の滅菌が有効となる処理内容を判定するための条件である。物理的条件は、例えば、滅菌工程中の温度、圧力、及び時間の範囲並びに閾値等を含む。状態監視装置１０は、処理内容が物理的条件を満たしている場合に、処理槽内から被処理物を取り出してもよいと判定してもよい。なお、物理的条件は、例えば、滅菌装置１が設けられた設備の滅菌管理方法に基づいて予め定められており、物理的条件の例は後述する。
【００３３】
状態監視装置１０は、バッチ処理において物理的条件を満たしたと判定した場合、すなわち、処理槽内から被処理物を取り出してよい場合、ステップＳ２として、処理槽内から被処理物を取り出してよい（ＯＫ）との判定結果Ｄ３と運転情報Ｄ２とを、通信回線３を介して、管理者の携帯通信端末装置７Ｂに送信する。
【００３４】
携帯通信端末装置７Ｂは、状態監視装置１０から判定結果Ｄ３と運転情報Ｄ２とを受信すると、判定結果Ｄ３と運転情報Ｄ２とを表示するための画面を作成する。携帯通信端末装置７Ｂは、作成した画面を携帯通信端末装置７Ｂの表示装置に表示する。これにより、管理者は、画面を参照することで、滅菌装置１ａから被処理物を取り出してよいとの状態監視装置１０の判定結果、すなわち、被処理物の滅菌が有効であることを確認することができる。これにより、管理者は、滅菌装置１ａのオペレータ等に対して、被処理物の払い出しを許可することができる。
【００３５】
このように、状態監視装置１０は、滅菌装置１ａが実行した処理内容を、管理者の携帯通信端末装置７Ｂに送信する。このため、管理者は、携帯通信端末装置７Ｂが受信した処理内容に基づいて、滅菌運転が正常に終了した被処理物の滅菌の有効性を判断することができるので、滅菌装置１ａで滅菌された被処理物の払い出しに関する利便性を向上することができる。
【００３６】
状態監視装置１０は、被処理物を処理したときの物理的条件に基づいて、処理槽内から被処理物を取り出しても良いと判定できる物理的条件を満たしたかどうかを判定し、その判定結果を管理者の携帯通信端末装置７Ｂに送信する。このため、管理者は、被処理物の滅菌の有効性を判断しなくても、状態監視装置１０の判定結果から被処理物の払い出しを迅速に許可することができる。
【００３７】
状態監視装置１０は、滅菌装置１ａの処理槽内から被処理物を取り出してよいと判定できる物理的条件を満足したと判定した場合、ステップＳ３として、滅菌装置１ａの第２扉のインターロックを解除するための解除要求Ｄ４を示す信号を滅菌装置１ａに送信する。そして、滅菌装置１ａは、解除要求Ｄ４を受け取ると、第２扉のインターロックを解除する。これにより、滅菌装置１ａは、処理槽内から被処理物を取り出せる状態になる。
【００３８】
このように、状態監視装置１０は、被処理物を処理したときの物理的条件に基づいて、処理槽内から被処理物を取り出しても良いと判定できる物理的条件を満足していると判定した場合、滅菌装置１ａの第２扉のインターロックを解除させる。このため、管理者は、滅菌装置１ａのオペレータに払い出しを指示した時点で、滅菌装置１ａの第２扉のインターロックは解除されている。その結果、オペレータは、滅菌が有効の被処理物を迅速に滅菌装置１ａから払い出すことができる。
【００３９】
また、状態監視装置１０は、被処理物を処理したときの物理的条件に基づいて、処理槽内から被処理物を取り出してもよいと判定できる物理的条件を満足していないと判定した場合、処理内容がＮＧであることを示す判定結果と運転情報とを、通信回線３を介して、管理者の携帯通信端末装置７Ｂに送信する。この場合は、滅菌装置１ａが正常終了したにもかかわらず、滅菌の有効性が疑わしいと判断される場合である。状態監視装置１０は、処理内容がＮＧを示す判定結果と運転情報とを、管理拠点のコンピュータ６に送信してもよい。
【００４０】
携帯通信端末装置７Ｂは、状態監視装置１０から判定結果と運転情報とを受信すると、判定結果と運転情報とを示す画面を作成する。携帯通信端末装置７Ｂは、作成した画面を携帯通信端末装置７Ｂの表示装置に表示する。管理者は、携帯通信端末装置７Ｂの表示装置に表示された画面を参照すると、被処理物を取り出してもよいと判定できる物理的条件を満足していない、すなわち、滅菌装置１ａから被処理物を取り出せないとの状態監視装置１０の判定結果を確認することができる。このため、管理者は、被処理物の滅菌の有効性が疑わしいことを確認することができる。
【００４１】
図３は、滅菌装置及び状態監視装置の機能を示す模式図である。図３を参照して、前述した滅菌装置及び状態監視装置の構成について説明する。以下の説明においては、同様の構成要素に同一の符号を付すことがある。さらに、重複する説明は省略することがある。
【００４２】
図３に示すように、滅菌装置１の制御装置１Ｃは、制御部５１と、入出力部５３とを含む。制御部５１は、例えば、ＣＰＵ（Central  Processing  Unit）とメモリとを組み合わせたものであり、マイクロコンピュータを利用してもよい。制御部５１には、各種センサ５４と、第１電気錠５５と、第２電気錠５６とが電気的に接続されている。各種センサ５４は、例えば、滅菌装置１内に設けられた圧力センサ、温度センサ等を含む。各種センサ５４は、検出した状態を示す信号を制御部５１に対して出力する。
【００４３】
第１電気錠５５及び第２電気錠５６は、前述した第１扉及び第２扉を、通電時に開錠し、非通電時に施錠する。第１電気錠５５及び第２電気錠５６は、滅菌装置１のインターロック機構に含まれている。制御部５１は、インターロック機構を制御するためのプログラムを実行し、第１電気錠５５及び第２電気錠５６の開錠、施錠を制御する。
【００４４】
入出力部５３は、制御部５１及び状態監視装置１０の入出力部１３と接続されている。入出力部５３は、制御部５１からの情報を状態監視装置１０に出力する。入出力部５３は、状態監視装置１０が出力した各種情報を受け取り、その情報を制御部５１に出力する。
【００４５】
状態監視装置１０は、処理部１１と、記憶部１２と、入出力部１３とを含む。処理部１１は、情報収集部１１Ａと、情報送信部１１Ｂと、判定部１１Ｃとを含む。処理部１１は、例えば、ＣＰＵ（Central  Processing  Unit）とメモリとを組み合わせたものであり、マイクロコンピュータを利用してもよい。処理部１１は、前述した処理内容に関する情報を送信するためのコンピュータプログラムを実行し、滅菌装置１から受け取った処理内容に関する情報を、通信回線３を介して携帯通信端末装置７等に送信する。
【００４６】
処理部１１の情報収集部１１Ａは、処理内容に関する情報を滅菌装置１から受け取る。情報収集部１１Ａは、受け取った処理内容に関する情報を情報送信部１１Ｂに送信する。本実施形態では、情報収集部１１Ａは、判定部１１Ｃを介して、処理内容に関する情報を情報送信部１１Ｂに送信する場合について説明する。しかし、情報収集部１１Ａは、処理内容に関する情報を情報送信部１１Ｂに直接送信してもよい。また、複数の滅菌装置１ａ〜１ｎが状態監視装置１０に接続されている場合、情報収集部１１Ａは、受信した情報がどの滅菌装置１ａ〜１ｎからのものであるかを判別し、情報送信部１１Ｂに送信する。さらに、情報収集部１１Ａは、通信回線３を介して携帯電話機７等からの情報を受け取ると、受け取った情報を情報送信部１１Ｂに送信する。
【００４７】
判定部１１Ｃは、情報収集部１１Ａで滅菌装置１から受け取った処理内容に関する情報、具体的には物理的情報と予め定められた物理的条件とに基づいて、滅菌装置１の処理槽内から被処理物を取り出してよいか否かを判定する。なお、判定方法の例については、後述する。判定部１１Ｃは、被処理物を取り出してよいと判定した場合は、処理内容がＯＫであることを示す判定結果と処理内容に関する情報とを情報送信部１１Ｂに送信する。この場合、判定部１１Ｃは、すべての処理内容に関する情報を送信してもよいし、物理的情報のみを送信してもよい（以下同様）。判定部１１Ｃは、被処理物を取り出せないと判定した場合、処理内容がＮＧであることを示す判定結果と処理内容に関する情報とを情報送信部１１Ｂに送信する。
【００４８】
処理部１１の情報送信部１１Ｂは、無線通信、本実施形態では、通信回線３と携帯通信端末装置７との間に介在する無線通信基地４を介して各種情報を携帯通信端末装置７に送信する。より具体的には、情報送信部１１Ｂは、情報収集部１１Ａからの情報を受信したときに、その情報を携帯通信端末装置７に送信する。情報送信部１１Ｂは、処理内容に関する情報と判定結果とを受け取った場合、入出力部１３を介して、処理内容に関する情報と判定結果とを予め定められた管理者の携帯通信端末装置７Ｂに送信する。
【００４９】
本実施形態においては、情報送信部１１Ｂは、無線通信を介して各種情報を携帯通信端末装置７に送信するが、本実施形態では、無線通信基地４と携帯通信端末装置７との間が無線通信である。このように、情報送信部１１Ｂと携帯通信端末装置７との間には、少なくとも１つの無線通信が介在していればよい。なお、状態監視装置１０に送信機を搭載し、状態監視装置１０が無線通信を介して直接携帯通信端末装置７に各種情報を送信してもよい。
【００５０】
記憶部１２は、例えば、ＲＡＭ（Random Access Memory）のような揮発性のメモリ、ＲＯＭ（Read Only Memory）のような不揮発性のメモリを組み合わせたものであるが、このようなものに限定されない。記憶部１２は、本実施形態に係る状態監視装置１０の情報送信用プログラム、滅菌装置１のインターロックを制御するためのプログラム及び滅菌装置１から受け取った情報を保存している。例えば、記憶部１２には、連絡先の携帯通信端末装置７等に関する情報が登録された連絡先リストが保存されている。例えば、連絡先リストは、滅菌装置１が設置されている施設内で用いられる管理者及びオペレータの携帯通信端末装置７と、管理拠点のコンピュータ６とに関する情報を含む。記憶部１２は、前述した物理的条件を示す情報を保存している。
【００５１】
入出力部１３は、処理部１１、通信回線３及び滅菌装置１の制御装置１Ｃと接続されている。処理部１１は、入出力部１３を介して制御装置１Ｃが送信した各種情報を受け取り、その情報を通信回線３に出力する。滅菌装置１が１台である場合、入出力部１３には滅菌装置１の制御装置１Ｃが接続される。滅菌装置１に加え、複数の滅菌装置１ａ〜１ｎが状態監視装置１０に各種情報を送信する場合、入出力部１３には、さらに、複数の滅菌装置１ａ〜１ｎの制御装置１Ｃａ〜１Ｃｎが接続される。
【００５２】
状態監視装置１０が複数の滅菌装置１ａ〜１ｎを対象としている場合、携帯通信端末装置７は、前述したように正常完了又は異常停止した号機を報知する。
【００５３】
状態監視装置１０に複数の滅菌装置１ａ〜１ｎが接続されている場合、情報収集部１１Ａは、受け取った装置情報がどの滅菌装置１ａ〜１ｎからのものであるかを判別する必要がある。本実施形態において、状態監視装置１０の入出力部１３は、滅菌装置１の制御装置１Ｃが接続される接点を複数有している。それぞれの接点には、異なる滅菌装置１ａ〜１ｎが接続されているので、情報収集部１１Ａは、装置情報が送信された接点に基づいて装置情報がどの滅菌装置１ａ〜１ｎからのものであるかを判別することができる。例えば、接点Ａに滅菌装置１ａが、接点Ｂに滅菌装置１ｂが接続されているとする。この場合、情報収集部１１Ａは、接点Ａから装置情報を受け取った場合、滅菌装置１ａからの装置情報であると判別することができる。なお、複数の滅菌装置１ａ〜１ｎからの装置情報を判別する方法は、この例に限定されるものではない。
【００５４】
情報収集部１１Ａは、受け取った装置情報が、どの滅菌装置１ａ〜１ｎのものであるかを判別し、制御装置１Ｃａ〜１Ｃｎを識別するための情報（識別情報）とともに、受け取った装置情報を情報送信部１１Ｂに送信する。情報送信部１１Ｂは、装置情報及び識別情報を携帯通信端末装置７に送信する。携帯通信端末装置７は、識別情報に基づいて、受信した装置情報がどの滅菌装置１ａ〜１ｎのものであるかを特定する。そして、携帯通信端末装置７は、識別情報に基づき、滅菌装置１ａ〜１ｎを特定するための情報、例えば、滅菌装置の号機を特定する音を装置情報とともに表示装置に表示する。このようにすることで、管理者は、携帯通信端末装置７Ｂが報知した装置情報が、複数の滅菌装置１ａ〜１ｎのうちどの装置のものであるかを認識することができる。
【００５５】
図４は、蒸気滅菌が有効となる滅菌温度と保持時間との関係を示す図である。図４を参照して、滅菌装置１が蒸気滅菌装置の場合に、蒸気滅菌の有効性に基づいて、滅菌装置１の処理槽内から被処理物を取り出してよいか否かを判定するための判定方法の例について説明する。
【００５６】
図４に示すように、滅菌工程中の滅菌温度が１２１℃（処理槽内が０．１０３６［ＭＰａＧ］）以上の保持時間が１５分以上でＦ値が１５以上の場合、滅菌工程中の滅菌温度が１２６℃（処理槽内圧力が０．１３８［ＭＰａＧ］）以上の保持時間が１０分以上でＦ値が１５以上の場合、及び滅菌工程中の滅菌温度が１３４℃（処理槽内圧力が０．２０２７［ＭＰａＧ］）以上の保持時間が３分以上でＦ値が１５以上の場合、被処理物の滅菌は有効と判定できる。本実施形態では、物理的条件は、滅菌が有効と判定できる場合の滅菌温度と保持時間との関係を示す条件を含んでいる。例えば、滅菌装置１から受け取った処理内容に関する情報の滅菌温度が１２１℃（処理槽内が０．１０３６［ＭＰａＧ］）以上の保持時間が２０分であり、かつ、Ｆ値が２５であった場合、滅菌工程中の滅菌温度が１２１℃（飽和蒸気雰囲気）以上で、その保持時間が１５分、かつＦ値が１５以上を満たしている。このため、判定部１１Ｃは、被処理物を処理したときの物理的条件に基づいて、処理槽内から被処理物を取り出しても良いと判定できる物理的条件を満足していると判定する、すなわち、判定部１１Ｃは、滅菌装置１の処理槽内から被処理物を取り出してよいと判定することができる。しかも、滅菌温度と保持時間とが物理的条件を満たしているということは、被処理物の滅菌も有効であることを意味している。なお、滅菌温度と保持時間との関係は、前述した関係に限定されず、各施設における運転条件で設定することも可能である。
【００５７】
図５は、携帯通信端末装置に情報を送信するための処理手順の例を示すフローチャートである。図５を参照して、状態監視装置１０の処理部１１が実行する処理手順について説明する。
【００５８】
図５に示すように、状態監視装置１０の処理部１１は、ステップＳ１０１として、滅菌装置１の運転は正常終了かを判定する。具体的には、滅菌装置１から受け取った装置情報が正常終了を示している場合に、処理部１１は、滅菌装置１の運転は正常終了と判定する。そして、制御部１１は、運転は正常終了ではないと判定した場合（ステップＳ１０１，Ｎｏ）、ステップＳ１０８に進む。一方、制御部１１は、運転は正常終了であると判定した場合（ステップＳ１０１，Ｙｅｓ）、ステップＳ１０２に進む。
【００５９】
処理部１１は、ステップＳ１０２として、処理内容に関する情報を受け取る。処理部１１は、ステップＳ１０３として、処理内容に基づいて、滅菌装置１の処理槽内から被処理物を取り出してもよいと判定できる物理的条件を満たしたか否かを判定し、判定結果を記憶部１２に記憶する。そして、処理部１１は、被処理物を取り出してよいと判定できる物理的条件を満たしたと判定した場合（ステップＳ１０４，Ｙｅｓ）、ステップＳ１０５に進む。処理部１１は、ステップＳ１０５として、被処理物を取り出してよいと判定できる物理的条件を満たしたとの判定結果と処理内容とを含む情報を、予め定められた管理者の携帯通信端末装置７Ｂに送信する。そして、処理部１１は、ステップＳ１０６として、滅菌装置１にインターロックの解除要求を送信し、ステップＳ１０８に進む。
【００６０】
処理部１１は、被処理物の処理が不十分であると判定される物理的条件であった場合（ステップＳ１０４，Ｎｏ）、ステップＳ１０７に進む。処理部１１は、ステップＳ１０７として、被処理物を取り出してよいと判定できる物理的条件を満たしていないとの判定結果と処理内容とを含む情報を、予め定められた管理者の携帯通信端末装置７Ｂに送信し、ステップＳ１０８に進む。
【００６１】
処理部１１は、ステップＳ１０８として、終了か否かを判定する。具体的には、終了操作等によって終了要求を受けている場合、処理部１１は、終了と判定する。処理部１１は、終了ではないと判定した場合（ステップＳ１０８，Ｎｏ）、ステップＳ１０１に戻る。処理部１１は、終了であると判定した場合（ステップＳ１０８，Ｙｅｓ）、本処理手順を終了する。
【００６２】
本実施形態では、ステップＳ１０５及びＳ１０７として、処理部１１は、判定結果と処理内容とを含む情報を、管理者の携帯通信端末装置７Ｂにのみ送信する場合について説明した。しかし、判定結果と処理内容とを含む情報の送信方法はこれに限定されない。例えば、運転が正常終了した場合、処理部１１は、オペレータの携帯通信端末装置７Ａにも、判定結果と処理内容とを含む情報を送信してもよい。あるいは、運転の結果に関係なく、処理部１１は、管理者の携帯通信端末装置７Ｂ及びオペレータの携帯通信端末装置７Ａに、判定結果と処理内容とを含む情報を送信してもよい。
【００６３】
図６は、携帯通信端末装置が表示する画面の例を示す図である。図６に示す画面７０は、滅菌装置１が実行したバッチ処理の処理内容と状態監視装置１０による判定結果とを表示している。画面７０は、号機、運転、平均温度、最高温度、最低温度、平均圧力、最高圧力、最低圧力、保持時間、Ｆ値、判定結果等の少なくとも１つ項目を含む。号機の項目には、滅菌装置１を識別する情報が表示される。運転の項目には、滅菌装置１の運転モードを示す情報が表示される。例えば、滅菌装置の運転モードは、標準滅菌運転、高温滅菌運転、高速滅菌運転等のうち少なくとも１つを含む。平均温度の項目には、滅菌工程中の平均温度が表示される。最高温度及び最低温度の項目には、滅菌工程中の最高温度及び最低温度が表示される。平均圧力の項目には、滅菌工程中の平均圧力が表示される。最高圧力及び最低圧力の項目には、滅菌工程中の最高圧力及び最低圧力が表示される。
【００６４】
図６に示す例では、画面７０は、処理内容として、平均温度、最高温度、最低温度、平均圧力、最高圧力、最低圧力、保持時間、Ｆ値等の物理的情報を表示するとともに、状態監視装置１０による判定結果がＯＫであることを表示している。管理者は、この画面７０を参照することで、運転が正常終了した滅菌装置１から、滅菌装置１の処理槽内から被処理物を取り出してもよいと判定できる物理的条件を満たしたことを確認することができる。あるいは、管理者は、状態監視装置１０による判定結果がＯＫである場合に、処理内容の物理的情報を参照して自ら被処理物を取り出してよいか否かを判断することができる。
【００６５】
本実施形態では、状態監視装置１０は、滅菌装置１の運転が正常終了した場合に、被処理物を処理したときの物理的条件に基づいて、処理槽内から被処理物を取り出しても良いと判定できる物理的条件を満足したかどうかを判定する場合について説明した。しかし、状態監視装置１０は、物理的条件を満足したかどうかを判定しなくてもよい。例えば、状態監視装置１０は、物理的条件を満足したかどうかを判定せずに、滅菌装置１から受け取った処理内容に関する情報を、通信回線３を介して、管理者の携帯通信端末装置７Ｂに送信する。この場合、管理者は、携帯通信端末装置７Ｂに表示された処理内容に関する情報に基づいて、滅菌装置１の処理槽内から被処理物を取り出してよいか否かを判定する。
【００６６】
前述の状態監視装置１０は、例えば、滅菌装置１の運転履歴、現在運転している滅菌装置１の状況を示す運転情報を記憶部１２に記憶してもよい。この場合、状態監視装置１０は、管理者の携帯通信端末装置７Ｂから送信要求を受けると、送信要求が指定する滅菌装置１の運転情報を携帯通信端末装置７Ｂに送信する。このようにすれば、管理者は、滅菌装置１の運転状況を確認することにより、運転完了の時刻を予想し、オペレータ又は被処理物の利用者側に、被処理物の滅菌装置１からの払い出しの時刻を伝えることができる。このため、状態監視装置１０は、滅菌装置１で滅菌された被処理物の払い出しに関する利便性をより一層向上することができる。
【００６７】
以上、本実施形態を説明したが、前述した内容により本実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、本実施形態の要旨を逸脱しない範囲で構成要素の種々の省略、置換又は変更を行うことができる。
【符号の説明】
【００６８】
１、１ａ〜１ｎ  滅菌装置
１Ｃ、１Ｃａ〜１Ｃｎ  制御装置
３  通信回線
４  無線通信基地
６  コンピュータ
７、７Ａ、７Ｂ  携帯通信端末装置
１０  状態監視装置
１１  処理部
１１Ａ  情報収集部
１１Ｂ  情報送信部
１１Ｃ  判定部
１２  記憶部
１３  入出力部
１００  運転管理システム
【図１】
2014166209.tif 000003
【図２】
2014166209.tif 000004
【図３】
2014166209.tif 000005
【図４】
2014166209.tif 000006
【図５】
2014166209.tif 000007
【図６】
2014166209.tif 000008